(57)【要約】【課題】  簡素な構成であって複数のスライドファスナが有するそれぞれのスライダの施錠および解錠を容易に行うことが可能なスライドファスナ用ロック装置を提供する。【解決手段】  スライドファスナ用ロック装置は、カバープレート３と表面筐体１との間に形成されている収容室に収容されているキーシリンダーモジュール、一のスライダに係合可能な第１の施錠モジュール、他のスライダに係合可能な第２の施錠モジュール、並びに、第１の施錠モジュールおよび第２の施錠モジュールに接続可能なつまみ６を備える。キーシリンダーモジュールが解錠状態にある場合、つまみ６を左へ回転するとつまみ６は第１の施錠モジュールに接続し、つまみ６を右へ回転するとつまみ６は第２の施錠モジュールに接続する。キーシリンダーモジュールが施錠状態にある場合、第１の施錠モジュール及び第２の施錠モジュールとつまみ６とは接続不能となっている。【選択図】  図２
0003208192.tif 000002
【実用新案登録請求の範囲】
【請求項１】
複数のスライドファスナが有するそれぞれのスライダを固定可能なスライドファスナ用ロック装置であって、
表面筐体、底面筐体及びカバープレートを有し、前記カバープレートが前記表面筐体と前記底面筐体との間に設置され、
前記カバープレートと前記表面筐体との間に形成されている収容室にキーシリンダーモジュール、一のスライダに係合可能な第１の施錠モジュール及び他のスライダに係合可能な第２の施錠モジュールが設置されており、前記キーシリンダーモジュール、第１の施錠モジュール及び第２の施錠モジュールに接続可能なつまみを更に有し、
前記キーシリンダーモジュールが解錠状態にある場合、前記つまみを左に回転すると前記つまみは前記第１の施錠モジュールに接続し、前記つまみを右へ回転すると前記つまみは前記第２の施錠モジュールに接続し、
前記キーシリンダーモジュールが施錠状態にある場合、前記つまみは、前記第１の施錠モジュール及び第２の施錠モジュールに接続不能であることを特徴とするスライドファスナ用ロック装置。
【請求項２】
前記キーシリンダーモジュールは、キーシリンダーを設置したクラッチブロックが設置されたベースを有し、
前記キーシリンダーは、前記クラッチブロックに接続され、
前記つまみには、前記キーシリンダーが嵌設され、
前記表面筐体には、前記つまみを取り付けるための取付穴が設置されていることを特徴とする請求項１に記載のスライドファスナ用ロック装置。
【請求項３】
前記第１の施錠モジュールと前記第２の施錠モジュールとは、前記キーシリンダーモジュールの両側に対称に設置されていることを特徴とする請求項２に記載のスライドファスナ用ロック装置。
【請求項４】
前記第１の施錠モジュール及び前記第２の施錠モジュールのそれぞれは、伝動接続シート、ロックフック及びロックフックバネを有し、
前記つまみは、前記伝動接続シートに接続可能に設けられ、
前記伝動接続シートは、前記ロックフックにマッチング接続され、
前記ロックフックバネが前記ロックフックに設置され、
前記表面筐体には、前記ロックフックバネを収容するための収容溝、及び、前記ロックフックとマッチングし前記スライダを挿入するための挿入接続口を有することを特徴とする請求項３に記載のスライドファスナ用ロック装置。
【請求項５】
前記ロックフックは、止め部、伝動部及びロックタングを有し、
前記止め部は、前記伝動部と前記ロックタングとに接続され、
前記伝動接続シートには、摺動位置限定穴が設置され、
前記伝動部は、前記摺動位置限定穴に接続可能に設けられ、
前記クラッチブロックは、底部に前記止め部の出入りのための凹溝が設置されていることを特徴とする請求項４に記載のスライドファスナ用ロック装置。
【請求項６】
前記つまみは、転動ブロックを設置した位置限定ブロックを有し、
前記伝動接続シートには、前記転動ブロックとマッチングする伝動穴が設置されていることを特徴とする請求項５に記載のスライドファスナ用ロック装置。
【請求項７】
前記クラッチブロックは、底部に鋼球バネが設置され、
前記ベースは、前記鋼球バネに対応する位置決め穴を有することを特徴とする請求項２に記載のスライドファスナ用ロック装置。
【請求項８】
前記位置決め穴の数量は、２つであり、
位置限定ブロックと前記表面筐体との間に弧形スペーサーが設置されており、
凹溝は、扇形凹溝であることを特徴とする請求項７に記載のスライドファスナ用ロック装置。
【請求項９】
前記カバープレートにおいて、前記挿入接続口の真下の位置にブロックバネを下方に突き出させる突き出しブロックが設置されていることを特徴とする請求項５に記載のスライドファスナ用ロック装置。
【請求項１０】
前記底面筐体は、両側にボルトを通過させるための貫通溝が設置され、
前記カバープレートは、両端にボルトに対応する側溝が設置され、
前記表面筐体には、ボルト固定柱が設置されており、
ボルトは、前記貫通溝及び側溝を貫通して前記ボルト固定柱に固定接続され、
前記伝動接続シートの下方に前記伝動接続シートを載置するための載置板が設置されていることを特徴とする請求項５に記載のスライドファスナ用ロック装置。
【考案の詳細な説明】
【技術分野】
【０００１】
本考案は、スーツケースやバッグが有するスライドファスナ用ロック装置に関する。
【背景技術】
【０００２】
経済が発展し、人口流動がますます多くなるにつれて、人々が外出するとき、スーツケースやバッグを携帯して個人的物品を積み込むことが一般的である。スーツケースやバッグの空間容量の伸縮性を増加するために、多くのスーツケースやバッグにはスライドファスナ複合サンドイッチ構造が採用されている。このため、安全の目的で、必ず複数のスライドファスナをロックすることが必要とされる。複数のスライドファスナが有するそれぞれのスライダに対して複数のロック装置を設置すれば、スーツケース全体の美観を損ねるとともに簡易にロックすることができないだけでなく、スーツケースのコストが増加してしまう。特許文献１に記載の二つのスライドファスナ用ロック装置では、構造が複雑過ぎて、ロック装置の設計に不利である。
【先行技術文献】
【特許文献】
【０００３】
【特許文献１】特開２００９−１４２５４８号公報
【考案の概要】
【考案が解決しようとする課題】
【０００４】
本考案の目的は、簡素な構成であって複数のスライドファスナのそれぞれが有するスライダの施錠及び解錠を容易に行うことが可能なスライドファスナ用ロック装置を提供することにある。
【課題を解決するための手段】
【０００５】
上記技術的問題を解決するために、本考案は以下の技術的解決手段を採用する。
【０００６】
本考案は、表面筐体、底面筐体及びカバープレートを備え、カバープレートが表面筐体と底面筐体との間に設置され、カバープレートと表面筐体との間に収容室が形成されているスライドファスナ用ロック装置である。収容室内にキーシリンダーモジュール、一のスライダに係合可能な第１の施錠モジュール及び他のスライダに係合可能な第２の施錠モジュールが設置されている。また、キーシリンダーモジュール、第１の施錠モジュール及び第２の施錠モジュールにマッチング接続されるつまみを更に有する。
キーシリンダーモジュールが解錠状態にある場合に、つまみが左へ回転することにより第１の施錠モジュールに伝動接続され、右へ回転することにより第２の施錠モジュールに伝動接続される。キーシリンダーモジュールが施錠状態にある場合に、つまみがそれぞれ回転して第１の施錠モジュールと第２の施錠モジュールに伝動接続されることが不可能である。
【０００７】
更に、キーシリンダーモジュールがキーシリンダーを設置したクラッチブロックが設置されたベースを有する。キーシリンダーは、クラッチブロックに伝動接続される。つまみにはキーシリンダーが嵌設されている。表面筐体の中部には、つまみを取り付けるための取付穴が設置されている。
【０００８】
好ましくは、第１の施錠モジュールと第２の施錠モジュールとが対称してキーシリンダーモジュールの両側に設置されている。
【０００９】
更に、第１の施錠モジュール及び第２の施錠モジュールのそれぞれは、伝動接続シート、ロックフック及びロックフックバネを有する。つまみは、伝動接続シートに伝動接続される。伝動接続シートは、ロックフックにマッチング接続される。ロックフックバネは、ロックフックに設置されている。表面筐体には、ロックフックバネを収容するための収容溝が設置され、更にロックフックとマッチングするスライダを挿入するための挿入接続口が設置されている。
【００１０】
更に、ロックフックは、止め部、伝動部及びロックタングを有する。止め部は、それぞれ伝動部とロックタングに接続されている。伝動接続シートには、摺動位置限定穴が設置されている。伝動部は、摺動位置限定穴にマッチング接続されている。クラッチブロックは、底部に止め部の出入りのための凹溝が設置されている。伝動接続シートとロックフックとは、マッチング接続され、一側の伝動接続シートの摺動位置限定穴がその同側のロックフックの伝動部を動かして移動させるとき、他側の伝動接続シートの摺動位置限定穴がその同側のロックフックの伝動部から分離して且つ摺動接続する。
【００１１】
更に、つまみは、転動ブロックを設置した位置限定ブロックを有する。伝動接続シートには、転動ブロックとマッチングする伝動穴が設置されている。つまみは、直接伝動接続シートを駆動して移動させ、ロックフックを動かして運動させることができる。
【００１２】
更に、クラッチブロックは、底部に鋼球バネが設置されている。ベースに鋼球バネとマッチングする位置決め穴が設置されている。そのようにして、クラッチブロックは特定位置に比較的に安定した固定点を有し、変位やずれが発生しにくい。クラッチブロック位置のずれにより、止め部が凹溝に入ることができなく又は凹溝に完全に入ることができないことを引き起こしやすくて、ロックタングが完全に開くことに影響を及ぼして、「係止」が発生する。
【００１３】
好ましくは、位置決め穴の数量が２つである。クラッチブロックの解錠と施錠の位置に対応しており、好ましくは凹溝が扇形凹溝である。位置限定ブロックと表面筐体との間には、弧形スペーサーが設置されており、そのようにしてつまみの回転をより安定的にする。
【００１４】
好ましくは、カバープレートにおいて、挿入接続口の真下の位置にブロックバネを下方に突き出させる突き出しブロックが設置されている。ロックタングの出入りに位置限定作用を提供すると共に、ロックタングが随意にずれることを防止することができる。
【００１５】
好ましくは、底面筐体は、両側にボルトを通過させるための貫通溝が設置されている。カバープレートは、両端にボルトとマッチングする側溝が設置されている。表面筐体には、ボルト固定柱が設置されている。ボルトは、貫通溝、側溝を貫通してボルト固定柱に固定接続される。そのようにして、表面筐体、カバープレート及び底面筐体の固定がより緊密になり、伝動接続シートの下方に伝動接続シートを載置するための載置板が更に設置されている。
【００１６】
本考案は、表面筐体、底面筐体及びカバープレートを含み、カバープレートが表面筐体と底面筐体との間に設置され、カバープレートと表面筐体との間に収容室が形成されているスライドファスナ用ロック装置である。収容室内にキーシリンダーモジュール、第１の施錠モジュール及び第２の施錠モジュールが設置されており、キーシリンダーモジュール、第１の施錠モジュール及び第２の施錠モジュールにマッチング接続されるつまみを更に含む。キーシリンダーモジュールが解錠状態にある場合に、つまみが左へ回転することにより第１の施錠モジュールを制御し、右へ回転することにより第２の施錠モジュールを制御する。該スライドファスナ用ロック装置は、１つのロックセット内で２組ないし複数のスライドファスナの施錠と解錠を完成することができ、つまみとキーシリンダーのマッチングによって、左右側ロックフックを開閉する。コストを節約すると共に外観が美しくて簡潔で、且つ構造が簡単で、操作しやすいようにする。
【図面の簡単な説明】
【００１７】
【図１】本考案に係るスライドファスナ用ロック装置の模式図である。
【図２】本考案に係るスライドファスナ用ロック装置の分解模式図である。
【図３】本考案に係るスライドファスナ用ロック装置の表面筐体と底面筐体を外した後の構造模式図である。
【図４】本考案に係るスライドファスナ用ロック装置の施錠モジュールの分解模式図である。
【図５】本考案に係るスライドファスナ用ロック装置のキーシリンダーモジュールの模式図である。
【図６】本考案に係るスライドファスナ用ロック装置の表面筐体の模式図である。
【考案を実施するための形態】
【００１８】
以下、図面を参照して、本考案の実施形態を具体的に説明する。しかしながら、図面は参照及び説明のためのものに過ぎず、本考案の請求の範囲に制限を加えない。
【００１９】
図１〜６に示すように、スライドファスナ用ロック装置は、表面筐体１、底面筐体２及びカバープレート３を備える。
カバープレート３は、表面筐体１と底面筐体２との間に設置されている。カバープレート３と表面筐体１との間には、収容室が形成されている。収容室内にキーシリンダーモジュール、第１の施錠モジュール及び第２の施錠モジュールが設置されている。また、キーシリンダーモジュール、第１の施錠モジュール及び第２の施錠モジュールにマッチング接続されるつまみ６を有する。
キーシリンダーモジュールが解錠状態にある場合、つまみ６が左へ回転することにより第１の施錠モジュールに伝動接続され、右へ回転することにより第２の施錠モジュールに伝動接続される。また、キーシリンダーモジュールが施錠状態にある場合、つまみ６がそれぞれ回転して第１の施錠モジュールと第２の施錠モジュールに伝動接続されることが不可能である。
【００２０】
キーシリンダーモジュールは、キーシリンダー４２を設置したクラッチブロック４３が設置されたベース４１を有する。キーシリンダー４２は、クラッチブロック４３に接続されている。つまみ６には、キーシリンダー４２が嵌設されている。表面筐体１の中央には、つまみ６を取り付けるための取付穴１２が設置されている。
【００２１】
本実施例は、最も簡潔な構造設計を示しており、第１の施錠モジュールと第２の施錠モジュールとをキーシリンダーモジュールの両側に対称に設置する。第１の施錠モジュール及び第２の施錠モジュールのそれぞれは、伝動接続シート５２、ロックフック５１及びロックフックバネ５３を有する。
つまみ６は、伝動接続シート５２に伝動接続可能に設けられている。伝動接続シート５２は、ロックフック５１にマッチング接続されている。ロックフックバネ５３は、ロックフック５１に設置されている。表面筐体１には、ロックフックバネ５３を収容するための収容溝１３が設置され、ロックフック５１とマッチングする。表面筐体１には、スライドファスナが有するスライダを挿入するための挿入接続口１１が設置されている。具体的には、ロックフック５１が止め部５１３、伝動部５１２及びロックタング５１１を有する。止め部５１３は、伝動部５１２とロックタング５１１とに接続されている。伝動接続シート５２には、摺動位置限定穴５２１が設けられている。伝動部５１２は、摺動位置限定穴５２１にマッチング接続されている。クラッチブロック４３は、底部に止め部５１３の出入りのための凹溝４３１が設置されている。凹溝４３１は、扇形の凹溝である。
【００２２】
本実施例において、つまみ６は、転動ブロック６２を設置した位置限定ブロック６１を有している。伝動接続シート５２には、転動ブロック６２とマッチングする伝動穴５２２が設けられている。位置限定ブロック６１と表面筐体１との間には、弧形スペーサー５４が設置されている。具体的には、位置限定ブロック、弧形スペーサー及び表面筐体は、自身の好適な位置限定作用によってつまみ６の離脱を防止することができる。
【００２３】
本実施例において、クラッチブロック４３は、底部に鋼球バネ４４が設けられている。ベース４１には、鋼球バネ４４とマッチングする位置決め穴が設置されている。位置決め穴の数量が２つである。具体的には、鍵でキーシリンダーを回転させるとき、クラッチブロックを動かして回転させ、クラッチブロックがベースの上で回転して位置決め穴に到達して位置決めをする。
【００２４】
本実施例において、カバープレート３において、挿入接続口１１の真下の位置にブロックバネ５６を下方に突き出させる突き出しブロック５５が設置されている。
【００２５】
本実施例において、底面筐体２は、両側にボルト７を通過させるための貫通溝２１が設けられている。カバープレート３は、両端にボルト７とマッチングする側溝を有する。表面筐体１には、ボルト固定柱１４が設けられている。ボルト７は、貫通溝２１、側溝を貫通してボルト固定柱１４に固定接続される。
【００２６】
本実施例において、伝動接続シート５２の下方に伝動接続シート５２を載置するための載置板３１が設置されている。
【００２７】
（作動原理）
解錠するとき、最初に、鍵でキーシリンダー４２を回転させると、キーシリンダー４２がクラッチブロック４３を一定の角度だけ回転させる。これにより、クラッチブロック４３の凹溝４３１とロックフック５１の止め部５１３とを対向させる。
次に、つまみ６を一側へ回転させると、つまみ６が伝動接続シート５２を動かす。これにより、ロックフック５１の伝動部５１２が動き、伝動部５１２がロックフック５１の止め部５１３を動かして凹溝４３１に入らせ且つ第２のバネを圧縮させる。それと同時にロックタング５１１が挿入接続口１１から退出し、スライダを取り出す。つまみ６を解放すると、圧縮された第２のバネの回復力が伝動接続シート５２に伝わる。伝動接続シート５２に伝わる第２のバネの回復力は、更につまみ６に伝わり、つまみ６が初期位置に戻る。ロックタング５１１が再び挿入接続口１１に入り、この側のスライドファスナの解錠が完了する。
さらに、つまみ６を他側へ回転させれば同一の原理によれば他側のスライドファスナに対する解錠を行うことができる。
【００２８】
施錠するとき、解錠状態から施錠することが必要とされる反対側へつまみ６を回転させる。これにより、つまみ６の回転が伝動接続シート５２に伝わる。伝動接続シート５２に伝わったつまみ６の回転がロックフック５１に伝わると、ロックフック５１のロックタング５１１が挿入接続口１１から退出するため、スライダを挿入接続口１１内に挿入する。次につまみ６を解放すると、つまみ６が初期位置に戻り、ロックタング５１１がスライダを係止する。次に、鍵をキーシリンダー４２に挿入して回転させる。これにより、クラッチブロック４３が回転し、凹溝４３１とロックフック５１の止め部５１３とがずれるため、止め部５１３が凹溝４３１に入ることができなくなり、施錠が完了する。
【００２９】
スライドファスナの数量に応じて挿入接続口１１の数量及びそれとマッチングするロックフック５１、ロックフックバネ５３を随意に増加することができる。また、ロックフック５１を同一側の伝動接続シート５２に接続すれば、同一側の複数のスライドファスナの開閉を実現できる。
【００３０】
以上開示したのは、本考案の好ましい実施例に過ぎず、それによって本考案の請求の範囲を限定してはならない。したがって、本考案の請求の範囲に基づいて行った変化は本考案が含む範囲に属するものでもある。
【符号の説明】
【００３１】
１・・・表面筐体
２・・・底面筐体
３・・・カバープレート
６・・・つまみ
４２・・・キーシリンダー
４３・・・クラッチブロック
５１・・・ロックフック
５２・・・伝動接続シート
５３・・・ロックフックバネ
【図１】
0003208192.tif 000003
【図２】
0003208192.tif 000004
【図３】
0003208192.tif 000005
【図４】
0003208192.tif 000006
【図５】
0003208192.tif 000007
【図６】
0003208192.tif 000008